(57)【特許請求の範囲】
【請求項１】
１枚のブランクを組み立てて形成される直方体形状のカートンであって、胴部を構成する一つの狭幅パネルの上部には隣接する広幅パネルの側端の方に若干寄った位置に矩形状の開孔が設けられており、該狭幅パネルには隣接する広幅パネルの内面に接着する接着パネルが連設されており、該広幅パネルの側端上部には前記狭幅パネルと略同幅の回動フラップが前記開孔を覆う位置に連設されており、さらにこの回動フラップの上端には係止部分を有するフラップ回動用挿込舌片が連設されており、前記回動フラップの側端には前記開孔に差込み可能な凸部を有するコの字状の切込部分が設けられていることを特徴とする振出口付きカートン。
【発明の詳細な説明】
【０００１】
【産業上の利用分野】
本発明は、キャンデー、ガム、チョコレート等の粒状の菓子類、その他粒状商品を収納してこれを小出しできる振出口付きカートンに関するものである。
【０００２】
【従来の技術】
従来、この種の振出口付きカートンとして、図４に示すように、折線αを軸とし回動フラップ２１をフラップ回動用挿込舌片２２の案内により回動して開孔２３を覆い或いは露わすことにより内容物の密閉、振出を行うようにしたものが知られている（例えば、実公昭５４−２２５０３号公報参照）。
【０００３】
【発明が解決しようとする課題】
上述した従来の振出口付きカートンは、振出口部にリクローズ性があり、しかも板紙からなる１枚のブランクで組み立てられるので加工性、経済性に優れているという利点があるものの、振出口部にロック機構がないことから、不使用時に回動フラップが動いて内容物が溢れるという欠点があった。
【０００４】
本発明は、上記のような欠点に鑑みてなされたものであり、その目的とするところは、リクローズ性がありながらも内容物が不用意に溢れることのない振出口付きカートンを提供することにある。
【０００５】
【課題を解決するための手段】
上記の目的を達成するために、本発明の振出口付きカートンは、１枚のブランクを組み立てて形成される直方体形状のカートンであって、胴部を構成する一つの狭幅パネルの上部には隣接する広幅パネルの側端の方に若干寄った位置に矩形状の開孔が設けられており、該狭幅パネルには隣接する広幅パネルの内面に接着する接着パネルが連設されており、該広幅パネルの側端上部には前記狭幅パネルと略同幅の回動フラップが前記開孔を覆う位置に連設されており、さらにこの回動フラップの上端には係止部分を有するフラップ回動用挿込舌片が連設されており、前記回動フラップの側端には前記開孔に差込み可能な凸部を有するコの字状の切込部分が設けられていることを特徴としている。
【０００６】
【作用】
上述の構成からなる本発明の振出口付きカートンでは、回動フラップがフラップ回動用挿込舌片の案内により回動して開孔を覆い或いは露わすことにより振出口を開け閉めするように作用する。そして、回動フラップの側端にある切込部分の凸部を開孔に差し込むことにより回動フラップが開孔を覆った状態でロックされる。
【０００７】
【実施例】
以下、本発明の実施例について図面を参照して説明する。
【０００８】
図１に本発明の一実施例である振出口付きカートンのブランクを示す。このブランクにおいて１は広幅の前面パネルで、その左側に縦折線ａ，ｂを介して狭幅の左側面パネル２及び接着パネル３がこの順で連設され、その右側に縦折線ｃ，ｄを介して狭幅の右側面パネル４及び広幅の背面パネル５がこの順で連設されており、前面パネル１の上下にはそれぞれ横折線ｅ，ｆを介して天面パネル６及び底面パネル７が連設され、背面パネル５の上下にはそれぞれ横折線ｇ，ｈを介して天面内側パネル８及び底面内側パネル９が連設されている。左側面パネル２の上部には若干左寄りの位置に矩形状の開孔２ａが設けられており、背面パネル５の右側端上部には左側面パネル２及び右側面パネル４と略同幅の回動フラップ１０が縦折線ｉを介して開孔２ａに対応する位置に連設されており、さらにこの回動フラップ１０の上端には三角状の係止部分１１ａを上部に備えたフラップ回動用挿込舌片１１が横折線ｊを介して連設されている。そして、回動フラップ１０の側端には左辺側に凸部１０ａを有するコの字状の切込部分１０ｂが設けられている。また、左側面パネル２の上下端にはそれぞれ横折線ｋ，ｌを介して折込片１２，１３が、右側面パネル４の上下端にはそれぞれ横折線ｍ，ｎを介して折込片１４，１５が連設されている。
【０００９】
図１のブランクを組み立てるに際しては、まずブランクを縦折線ａ，ｂの順に折り曲げ、接着パネル３を背面パネル５の内面に接着してサック貼りし、この状態で製函業者より内容物充填業者へ納品する。内容物充填業者は、このように扁平に折り畳まれた状態で納品されたブランクを縦罫線ａ〜ｄで角筒状に起こして函体胴部を形成し、下方の折込片１３，１５を横罫線ｌ，ｎで内側に折り込んだ後、底面内側パネル９及び底面パネル７を横罫線ｈ，ｆで折り曲げて互いに接着することで函体底部を閉鎖し、この状態で内容物を充填する。
【００１０】
次いで、上方の折込片１２，１４を横罫線ｋ，ｍで内側に折り込んだ後、回動フラップ１０を縦折線ｉに沿って直角に折り曲げて左側面パネル２の表面に重ね合わせ、さらにフラップ回動用挿込舌片１１を横折線ｊに沿って直角に折り曲げて折込片１２の上に重ね合わせる。この状態から天面内側パネル８及び天面パネル６を横罫線ｇ，ｅで折り曲げて互いに接着することで函体頭部を閉鎖して組立を完了する。なお、函体の底部と頭部を閉鎖する順序は逆でもよい。
【００１１】
使用に際しては、図２に示すように、縦折線ｉを軸とし回動フラップ１０をフラップ回動用挿込舌片１１の案内により回動して左側面パネル２の開孔２ａを覆い或いは露わすことにより内容物の密閉、振出を行うことができる。そして、図２に示す振出状態とした際、フラップ回動用挿込舌片１１の係止部分１１ａは回動フラップ１０が外れるのを防止する役目を果たす。また、密閉状態とする場合、回動フラップ１０の切込部分１０ｂにある凸部１０ａを図３に示す如く開孔２ａの右辺に差し込むことにより回動板１０をロックすることができる。このようにロックされた状態では回動板１０が不用意に外れることがない。また回動板１０を回動させる動作で凸部１０ａは簡単に外れる。
【００１２】
【発明の効果】
以上説明したように、本発明の振出口付きカートンは、回動フラップをフラップ回動用挿込舌片の案内により回動させて開孔を覆い或いは露わすことにより振出口を開け閉めできるとともに、回動フラップの側端にある切込部分の凸部を開孔に差し込むことにより回動フラップが開孔を覆った状態でロックすることができるので内容物が不用意に溢れることがない。
【図面の簡単な説明】
【図１】本発明の一実施例としての振出口付きカートンを形成するブランクの展開図である。
【図２】振出口付きカートンをその振出状態で示す斜視図である。
【図３】振出口付きカートンをその密閉状態で示す斜視図である。
【図４】従来の振出口付きカートンをその振出状態で示す斜視図である。
【符号の説明】
２  左側面パネル（狭幅パネル）
２ａ  開孔
３  接着パネル
５  背面パネル（広幅パネル）
１０  回動フラップ
１０ａ  凸部
１０ｂ  切込部分
１１  フラップ回動用挿込舌片
１１ａ  係止部分
【図１】
0003601838.tif 000002
【図２】
0003601838.tif 000003
【図３】
0003601838.tif 000004
【図４】
0003601838.tif 000005